(57)【要約】【課題】安全にケーブルの接続や切断、電圧測定等の作業を行うことを可能にする端子台を提供する。【解決手段】端子台１は、電気設備に電力を供給するためにケーブル１０が接続される装置であり、側壁２２によって隔離された略長方形の空間を有する筐体２と、この略長方形の空間の両端から出し入れ自在に可動できる端子部３と、両端の端子部３に接続されている導通部４と、を備えている。これにより、作業対象の端子部３のみを筐体２から突出させ、ケーブル１０の接続等を行うことができるため、ドライバー等の工具を誤って隣接する端子部３に接触させることなく、安全にケーブル１０の接続作業等を行うことが可能になる。【選択図】  図１
2017084471.tif 000002
【特許請求の範囲】
【請求項１】
２本のケーブルがそれぞれ接続されて前記２本のケーブルを互いに電気的に導通させるために複数設けられた一対の端子部と、
前記一対の端子部の間を導通させるために接続されている導通部と、
複数の前記一対の端子部と、複数の前記導通部と、の間を隔離するために設けられた電気的絶縁性を有する側壁部と、
複数の前記一対の端子部と、複数の前記導通部と、前記側壁部と、を収容する筐体と、を備えた端子台であって、
前記一対の端子部は、前記筐体から前記側壁に沿って出し入れ自在に可動するように設けられている、
ことを特徴とする端子台。
【請求項２】
前記導通部は、前記一対の端子部の間に接続されている電線であり、
前記一対の端子部の両方が前記筐体から突出している場合、直線状に伸びた状態で前記筐体に収容され、
前記一対の端子部のどちらか一方または両方が前記筐体に入った状態の場合、撓むように前記筐体に収容されている、
ことを特徴とする請求項１に記載の端子台。
【請求項３】
前記導通部は、前記一対の端子部の間に伸縮自在に接続されている、
ことを特徴とする請求項１に記載の端子台。
【請求項４】
前記端子部には、前記ケーブルを接続するための端子が設けられ、
前記端子は、前記端子部が前記筐体から突出している場合に露出し、前記端子部が前記筐体に入った状態の場合には前記筐体によって覆われている、
ことを特徴とする請求項１ないし３のいずれか１項に記載の端子台。
【発明の詳細な説明】
【技術分野】
【０００１】
この発明は、配電盤や変電盤に設置され、ケーブルを電気的に接続するための端子台に関する。
【背景技術】
【０００２】
従来、配電盤や変電盤には、配線接続を行うための端子台が設置されている。端子台は、各種の電気設備に電力を供給するためにケーブルが接続される装置であり、配電盤等の設備に固定されているものである。このような端子台は、狭隘な箇所に設置されている場合もあり、配線接続を行う作業者にとって作業しにくいことも多い。例えば、作業者が配電盤の正面で作業することが出来なかったり、端子台を視認できない状態で、手探りでケーブルの接続や切断、電圧測定等の作業を行ったりすることもある。このような状態において、作業者は、金属製のドライバー等の工具や電圧測定器の測定端子を誤って隣接する箇所に接触させてしまい、短絡事故や地絡事故を発生させるおそれがあった。
【０００３】
そのため、例えば、端子台に設けられた複数の端子接続部に、各端子接続部を被覆するカバー部材が設けられている端子台が知られている（例えば、特許文献１参照。）。この端子台のカバー部材は、端子接続部に対してスライド可能に設けられ、作業対象の端子接続部のカバー部材のみを取り外すことにより、ドライバー等の工具や電圧測定器の測定端子を誤って隣接する箇所に接触させてしまうことを防止するものである。
【先行技術文献】
【特許文献】
【０００４】
【特許文献１】特開２０１２−１２９０６７号公報
【発明の概要】
【発明が解決しようとする課題】
【０００５】
しかしながら、特許文献１に記載の端子台では、端子台自体は固定されているため、作業者にとって作業しにくいものであることに変わりはなく、視認できない状態において手探りで作業する場合にはカバー部材を取り外すという作業が増えることにより、かえって作業が煩わしくなるという問題があった。また、誤ってカバー部材を外してしまい、ドライバー等の工具や電圧測定器の測定端子を誤って隣接する箇所に接触させてしまうこともあった。
【０００６】
そこでこの発明は、カバー部材を取り外すことなく、安全にケーブルの接続や切断、電圧測定等の作業を行うことを可能にする端子台を提供することを目的とする。
【課題を解決するための手段】
【０００７】
上記課題を解決するために、請求項１の発明は、２本のケーブルがそれぞれ接続されて前記２本のケーブルを互いに電気的に導通させるために複数設けられた一対の端子部と、前記一対の端子部の間を導通させるために接続されている導通部と、複数の前記一対の端子部と、複数の前記導通部と、の間を隔離するために設けられた電気的絶縁性を有する側壁部と、複数の前記一対の端子部と、複数の前記導通部と、前記側壁部と、を収容する筐体と、を備えた端子台であって、前記一対の端子部は、前記筐体から前記側壁に沿って出し入れ自在に可動するように設けられている、ことを特徴とする。
【０００８】
請求項２の発明は、請求項１に記載の端子台において、前記導通部は、前記一対の端子部の間に接続されている電線であり、前記一対の端子部の両方が前記筐体から突出している場合、直線状に伸びた状態で前記筐体に収容され、前記一対の端子部のどちらか一方または両方が前記筐体に入った状態の場合、撓むように前記筐体に収容されている、ことを特徴とする。
【０００９】
請求項３の発明は、請求項１に記載の端子台において、前記導通部は、前記一対の端子部の間に伸縮自在に接続されている、ことを特徴とする。
【００１０】
請求項４の発明は、請求項１ないし３のいずれか１項に記載の端子台において、前記端子部には、前記ケーブルを接続するための端子が設けられ、前記端子は、前記端子部が前記筐体から突出している場合に露出し、前記端子部が前記筐体に入った状態の場合には前記筐体によって覆われている、ことを特徴とする。
【発明の効果】
【００１１】
請求項１の発明によれば、一対の端子部は筐体から側壁に沿って出し入れ自在に可動するように設けられているため、作業対象の端子部のみを筐体から突出させてケーブルの接続等の作業を行うことができる。これにより、ドライバー等の工具や電圧測定器の測定端子を誤って隣接する端子部に接触させることなく、安全にケーブルの接続や切断、電圧測定等の作業を行うことが可能になる。
【００１２】
請求項２の発明によれば、導通部が一対の端子部の両方が筐体から突出している場合、直線状に伸びた状態で筐体に収容され、一対の端子部のどちらか一方または両方が筐体に入った状態の場合、撓むように筐体に収容されるため、導通部がドライバー等の工具や電圧測定器の測定端子に誤って接触することがない。
【００１３】
請求項３の発明によれば、導通部が一対の端子部の間に伸縮自在に接続されているため、導通部の垂れ下がりを防止することができる。
【００１４】
請求項４の発明によれば、端子部に設けられた端子は、端子部が筐体から突出している場合に露出し、筐体に入った状態の場合には筐体によって覆われているため、隣接する端子と接触するおそれがなくなり、安全である。
【図面の簡単な説明】
【００１５】
【図１】この発明の実施の形態に係る端子台１を示す正面図である。
【図２】図１の筐体２及び端子部３を示す側面図である。
【図３】図１の筐体２、端子部３、及び導通部４の内部構造を示す断面図であり、端子部３が筐体２に入った状態を示す図（ａ）、及び端子部３が筐体２から突出している状態を示す図（ｂ）である。
【発明を実施するための形態】
【００１６】
以下、この発明を図示の実施の形態に基づいて説明する。
【００１７】
図１は、この発明の実施の形態に係る端子台１を示す正面図であり、図２は、図１の筐体２及び端子部３を示す側面図である。この端子台１は、配電盤や変電盤に設置されて電気設備に電力を供給するためにケーブル１０が接続される装置であり、主として筐体２と、端子部３と、導通部４とを備えている。
【００１８】
筐体２は、例えば、端子部３及び導通部４を収容するためにポリカーボネートのような熱可塑性プラスチック等の電気絶縁性を有する樹脂により形成されたケースであり、底板２１と、側壁（側壁部）２２と、端部天板２３と、中央部天板２４と、スライドレール２５とから構成され、これらの部材はプラスチック用接着剤により接合されている。
【００１９】
底板２１は、筐体２の底面を形成する略長方形の板状部材であり、配電盤や変電盤に取り付けられた際に配電盤等に接触する外面と、端子部３及び導通部４が収容される側の内面とを有している。側壁２２は、端子台１において、隣り合う端子部３を隣接する端子部３または外部から隔離するために略長方形に形成された隔壁であり、底板２１の内面に対して垂直かつ底板２１の短手方向に平行に、端子部３が収容可能な大きさに形成されている。また、側壁２２同士は、底板２１の長手方向に並列に収容される端子部３の数に応じて、端子部３の幅と略同じ間隔で平行に設置されている。
【００２０】
端部天板２３は、隣接する側壁２２同士を接続するために底板２１に平行かつ側壁２２に対して垂直に形成された略長方形の小片であり、隣接する側壁２２の間に形成された略長方形の空間の長手方向両端部に設置されている。中央部天板２４は、隣接する側壁２２同士を接続するために底板２１に平行かつ側壁２２に対して垂直に形成された略長方形の小片であり、隣接する側壁２２の間に形成された略長方形の空間の長手方向中央部に設置されている。
【００２１】
スライドレール２５は、端子部３をスライドさせるためのレールであり、底板２１、側壁２２、端部天板２３、及び中央部天板２４により形成された空間の内部に、端子部３を収容するために底板２１及び側壁２２の長手方向に対して平行に設置された角棒である。このスライドレール２５は、例えば、底板２１及び側壁２２の長手方向長さと略同じ長さで断面略正方形に形成され、図２に示すように、端子部３を収容するための空間毎に４本ずつ設けられており、うち２本は、底板２１と側壁２２の接合部の角に密着して取り付けられ、他の２本は、側壁２２に密着して、端子部３を所定の力で挟持するように取り付けられている。
【００２２】
端子部３は、スライドレール２５に挟持されて底板２１、側壁２２、端部天板２３、及び中央部天板２４により形成された空間を可動できる部材であり、図１に示すように、１つのこの空間に対して２つの端子部３が左右に対向して、筐体２に対して出し入れ自在に可動するように設けられている。この端子部３は、主として、本体３１と、ストッパ３２と、端子３３と、端子導電部３４とから構成されている。
【００２３】
本体３１は、端子３３を載置するための端子部３本体部分であり、底板２１、側壁２２、端部天板２３、及び中央部天板２４により形成された空間を可動するように挿入されている。この本体３１は、例えば、ポリカーボネートのような熱可塑性プラスチック等の電気絶縁性を有する樹脂により、略直方体形状に形成されている。ストッパ３２は、本体３１における筐体２への挿入方向側端部に、端部天板２３方向に突出して延設された突起であり、底板２１、側壁２２、端部天板２３、及び中央部天板２４により形成された空間をスライドして筐体２から飛び出さないようにするために、端部天板２３に係止されるものである。
【００２４】
端子３３は、ケーブル１０が接続され、導通部４を介して他方の端子３３に接続されたケーブル１０と電気的に導通させるための部材であり、例えば、金属製のネジにより形成され、このネジが本体３１に螺合されて固定され、ケーブル１０を挟持して固定するものである。端子導電部３４は、端子３３と導通部４を電気的に導通させるための金属製の細板状部材であり、本体３１に載置され、端子３３が螺合されるものである。
【００２５】
導通部４は、例えば、銅線などの導電性の金属線にビニールなどの電気絶縁材料を被覆して形成された直線状の電線であり、その両端が導電部３４に接続されている。この導通部４は、図１に示すように、両端の端子部３が筐体２から突出している場合、直線状に伸びた状態で筐体２内に収容され、両端の端子部３のいずれか一方または両方が筐体２に入った状態の場合、撓むように筐体２内に収容されている。
【００２６】
次に、この端子台１の作用等について、以下に説明する。
【００２７】
図３は、図１の筐体２、端子部３、及び導通部４の内部構造を示す断面図であり、端子部３が筐体２に入った状態を示す図（ａ）、及び端子部３が筐体２から突出している状態を示す図（ｂ）である。この端子台１において、ケーブル１０が接続されていない場合、すなわち端子台３が使用されていない場合、図３（ａ）に示すように、端子部３は筐体２の中に入った状態で収容されている。
【００２８】
この状態から、ケーブル１０を端子３３に接続する場合、まず、端子台１全体を覆っているカバーを取り外す。ストッパ３２を作業者の指先や工具等にて把持し、図３（ｂ）に示すように、ストッパ３２が端部天板２３に接触するまで筐体２の外側に端子部３を摺動させる。これにより、端子３３が筐体２の外側に露出する。このとき、端子部３はスライドレール２５により所定の力で挟持されているため、端子部３は、端子３３を筐体２の外側に露出させた状態で保持される。
【００２９】
次に、ドライバー等の工具を用いて端子３３を緩めて、ケーブル１０を端子３３に接触させる。この状態で端子３３を締めることにより、ケーブル１０が端子３３に接続される。その後、ストッパ３２を把持して端子３３が端部天板２３に覆われるまで筐体２の内側に端子部３を摺動させ、図３（ａ）に示すように、端子部３を筐体２の中に入った状態に収容させる。
【００３０】
また、ケーブル１０を端子３３から切断する場合、上記と同様に端子３３を露出させて端子３３を緩めて、ケーブル１０を端子３３から取り外す。この状態で端子３３を締め、上記と同様に端子３３が端部天板２３に覆われるまで筐体２の内側に端子部３を摺動させ、端子部３を筐体２の中に入った状態に収容させる。
【００３１】
さらに、端子３３の電圧測定を行う場合、上記と同様に端子３３を露出させ、端子３３に電圧測定器の測定端子を接触させて電圧測定を行う。その後、上記と同様に端子３３が端部天板２３に覆われるまで筐体２の内側に端子部３を摺動させ、端子部３を筐体２の中に入った状態に収容させる。
【００３２】
このように、端子台１は、端子部３が筐体２から出し入れ自在に可動するように設けられているため、作業対象の端子部３のみを筐体２から突出させて端子３３を露出させ、ケーブル１０の接続、切断作業及び電圧測定作業を行うことができる。これにより、ドライバー等の工具や電圧測定器の測定端子を誤って隣接する端子３３に接触させることなく、安全にケーブル１０の接続や切断、電圧測定等の作業を行うことが可能になる。また、工事現場でも容易に加工できるため、多様な場所に設置することができる。
【００３３】
また、両端の端子部３が筐体２から突出している場合、導通部４は直線状に伸びた状態で筐体２内に収容され、両端の端子部３のいずれか一方または両方が筐体２に入った状態の場合、導通部４は撓むように筐体２内に収容されるため、導通部４がドライバー等の工具や電圧測定器の測定端子に誤って接触することがない。
【００３４】
さらに、端子３３は、端子台３が筐体２から突出している場合に露出し、筐体２に入った状態の場合には端部天板２３によって覆われているため、隣接する端子３３と接触するおそれがなくなり、安全である。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、この発明の実施の形態では、導通部４を直線状の電線により形成したが、例えば、渦巻バネ形状のように伸縮自在に形成しても良い。このような導通部４を設けることにより、導通部４の垂れ下がりを防止することができる。
【００３６】
また、この発明の実施の形態では、端子３３をネジ端子により形成したが、クリップ状等の他の形状にしても良い。
【符号の説明】
【００３７】
１                            端子台
２                            筐体
３                            端子部
４                            導通部
２１                          底板
２２                          側壁（側壁部）
２３                          端部天板
２４                          中央部天板
２５                          スライドレール
３１                          本体
３２                          ストッパ
３３                          端子
３４                          端子導通部
【図１】
2017084471.tif 000003
【図２】
2017084471.tif 000004
【図３】
2017084471.tif 000005